【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
装置において、
一連のジェット射出サイクル中にインク液滴がそこからジェット射出されることになっているインクジェットを有するインクジェットプリントヘッドモジュール、及び
前記インクジェットプリントヘッドモジュール上の、
（ａ）それぞれのインクジェットに印加されるジェット射出波形の特徴を指定するトリミング情報またはその他の情報に基づいて、波形を生成するために基本波形を変形する、及び
（ｂ）各ジェット射出波形に対し、前記ジェット射出波形を前記それぞれのインクジェットに印加する、
ための回路、
を有し、
前記基本波形がベースライン電圧およびプラトー電圧を有し、該ベースライン電圧および該プラトー電圧は相対大きさを有する電圧により互いに隔離され、前記基本波形の前記ベースライン電圧は前記基本波形の前記プラトー電圧に先行し、
前記各ジェット射出波形に対し、前記ジェット射出波形がベースライン電圧およびプラトー電圧を有し、該ベースライン電圧および該プラトー電圧は相対大きさを有する電圧により互いに隔離され、前記ジェット射出波形の前記ベースライン電圧は前記ジェット射出波形の前記プラトー電圧に先行し、
前記波形を生成するために基本波形を変形することが、前記各ジェット射出波形に対し、前記ジェット射出波形の前記ベースライン電圧と前記ジェット射出波形の前記プラトー電圧との間の電圧の相対大きさが、前記基本波形の前記ベースライン電圧と前記基本波形の前記プラトー電圧との間の電圧の相対大きさより、トリミング量だけ小さくなるように、前記基本波形の前記ベースライン電圧と前記基本波形の前記プラトー電圧との間の電圧の相対大きさを、前記ベースライン電圧を増大することにより、減じることを含み、
前記各ジェット射出波形に対し、前記ジェット射出波形の前記プラトー電圧を対応するインクジェットに印加することが、対応するインクジェットにインク滴を射出させることを特徴とする装置。
【請求項２】
前記情報が、異なるそれぞれのインクジェットに印加される異なるジェット射出波形の特徴を指定することを特徴とする請求項１に記載の装置。
【請求項３】
前記情報が、対応する前記インクジェットの群内の前記インクジェットの全てにそれぞれが印加される異なるジェット射出波形の特徴を指定することを特徴とする請求項１に記載の装置。
【請求項４】
前記情報が、前記ジェット射出波形のそれぞれを、他のいずれのジェット射出波形の特徴指定とも独立に、特徴指定することを特徴とする請求項１に記載の装置。
【請求項５】
前記ジェット射出波形の前記特徴指定が、前記波形に適用されるトリミングの識別を含むことを特徴とする請求項１に記載の装置。
【請求項６】
前記生成されたジェット射出波形がアナログ電圧波形を含むことを特徴とする請求項１に記載の装置。
【請求項７】
前記生成されたジェット射出波形のそれぞれが、立上がり期間、プラトー期間、立下がり期間及び反復前の休止期間を含むことを特徴とする請求項６に記載の装置。
【請求項８】
前記プラトー期間が概ね平坦であり、振幅を有することを特徴とする請求項７に記載の装置。
【請求項９】
前記トリミング量が、利用できる量のセットから選ばれる量を含むことを特徴とする請求項１に記載の装置。
【請求項１０】
前記トリミング量がトリミング値によって識別されることを特徴とする請求項１に記載の装置。
【請求項１１】
前記トリミング値のそれぞれをトリミング量に関係付けるルックアップテーブルを有することを特徴とする請求項１０に記載の装置。
【請求項１２】
前記ルックアップテーブルが前記インクジェットプリントヘッドモジュール上の前記回路に格納されるべきであることを特徴とする請求項１１に記載の装置。
【請求項１３】
前記プリントヘッドモジュール上に格納され、トリミング値と前記ジェット射出波形の形成に用いられるトリミング量の間の関係を収めている、ルックアップテーブルを有することを特徴とする請求項１に記載の装置。
【請求項１４】
前記ジェット射出波形の形成に用いられるトリミング量を保持するための記憶装置を有することを特徴とする請求項１に記載の装置。
【請求項１５】
前記トリミング量がトリミング電圧を表すことを特徴とする請求項１４に記載の装置。
【請求項１６】
前記プリントヘッドモジュール上に前記ジェット射出波形の形成に用いられる情報を受け取るための通信チャネルを有することを特徴とする請求項１に記載の装置。
【請求項１７】
前記受け取られる情報が、それぞれのジェット射出サイクルにおいてそれぞれのインクジェットに印加されるジェット射出波形の特徴を指定する前記情報を含むことを特徴とする請求項１６に記載の装置。
【請求項１８】
前記受け取られる情報がジェット射出サイクルトリガを含むことを特徴とする請求項１６に記載の装置。
【請求項１９】
前記受け取られる情報が、前記それぞれのインクジェットに対する前記ジェット射出波形の形成において適用されるトリミング量を識別するために用いられるべきトリミング値を含むことを特徴とする請求項１６に記載の装置。
【請求項２０】
前記受け取られる情報が、前記それぞれのインクジェットに対する前記ジェット射出波形の形成において適用されるトリミング量を含むことを特徴とする請求項１６に記載の装置。
【請求項２１】
前記受け取られる情報がそれぞれのジェット射出サイクルについて前記それぞれのインクジェットに対するジェット射出値を含み、前記ジェット射出値はインク液滴のジェット射出または無ジェット射出を表すことを特徴とする請求項１６に記載の装置。
【請求項２２】
前記インクジェットプリントヘッドモジュール上の前記回路が、前記ジェット射出波形へのトリミング量の適用後、前記それぞれのジェット射出サイクルにおいて前記それぞれのインクジェットに前記生成されたジェット射出波形を印加することを特徴とする請求項１に記載の装置。
【請求項２３】
前記インクジェットプリントヘッドモジュール上の前記回路が、ジェット射出サイクルトリガ信号の受取りに応答して、前記それぞれのジェット射出サイクルにおいて前記それぞれのインクジェットに前記生成されたジェット射出波形を印加することを特徴とする請求項１に記載の装置。
【請求項２４】
前記回路が、追加的な基本波形を変形することにより、追加的なジェット射出波形を生成するよう構成されていることを特徴とする請求項１に記載の装置。
【請求項２５】
前記インクジェットプリントヘッドモジュール上の前記回路が、ジェット射出サイクルトリガ信号に応答して、前記それぞれのジェット射出サイクルにおいて前記それぞれのインクジェットの１つに前記ジェット射出波形の１つをそれぞれが通すスイッチを有することを特徴とする請求項１に記載の装置。
【請求項２６】
前記回路が、前記それぞれのインクジェットの圧電アクチュエータに前記生成されたジェット射出波形を印加することを特徴とする請求項１に記載の装置。
【請求項２７】
基板と前記インクジェットプリントヘッドモジュールの間の相対運動を与えるための基板ハンドリング装置を有することを特徴とする請求項１に記載の装置。
【請求項２８】
前記インクジェットプリントヘッドモジュールと前記インクジェットプリントヘッドモジュール上にない回路との間に通信チャネルを延長するカプラを有することを特徴とする請求項１に記載の装置。
【請求項２９】
前記インクジェットの１つからジェット射出されるインク液滴の予定される体積または速度を決定するためのセンサまたはモニタを有し、前記センサまたは前記モニタは前記インクジェットプリントヘッドモジュール上の前記回路に結合されていることを特徴とする請求項１に記載の装置。
【請求項３０】
前記インクジェットプリントヘッドモジュールのようなインクジェットプリントヘッドモジュールの１つ以上をさらに有することを特徴とする請求項１に記載の装置。
【請求項３１】
前記回路が集積回路を含むことを特徴とする請求項１に記載の装置。
【請求項３２】
前記インクジェットプリントヘッドモジュールが１つ以上のインクジェットプリントヘッドモジュールを有することを特徴とする請求項１に記載の装置。
【請求項３３】
前記インクジェットプリントヘッドモジュールが、前記インクジェットを収めているインクジェットプリントモジュールの１つ以上を含み、前記装置が前記プリントヘッドモジュールのそれぞれの上に前記回路のような回路を有することを特徴とする請求項１に記載の装置。
【請求項３４】
装置において、
（ａ）インク液滴を射出するよう構成されているインクジェット、
（ｂ）（ｉ）それぞれのジェット射出サイクルにおいてそれぞれのインクジェットに印加されるジェット射出波形の形成に用いられる基本波形、
（ii）前記ジェット射出波形の形成において前記基本波形に適用されるトリミング量であって、トリミング値に関係付けられているトリミング量、
（iii）トリミング値、及び
（iv）前記ジェット射出サイクルのそれぞれ１つにおいて前記インクジェットのそれぞれ１つからインク液滴をジェット射出するか否かをそれぞれが示すジェット射出値、
に関する情報を保持するための記憶装置、
（ｃ）前記記憶装置に保持される前記情報を外部ソースから前記インクジェットプリントヘッドモジュール上に伝えるためのカプラ、および
前記基本波形を変形して前記ジェット射出波形を生成するよう構成されている回路、
を有するインクジェットプリントヘッドモジュールを有し、
前記基本波形がベースライン電圧およびプラトー電圧を有し、該ベースライン電圧および該プラトー電圧は相対大きさを有する電圧により互いに隔離され、前記基本波形の前記ベースライン電圧は前記基本波形の前記プラトー電圧に先行し、
前記各ジェット射出波形に対し、前記ジェット射出波形がベースライン電圧およびプラトー電圧を有し、該ベースライン電圧および該プラトー電圧は相対大きさを有する電圧により互いに隔離され、前記ジェット射出波形の前記ベースライン電圧は前記ジェット射出波形の前記プラトー電圧に先行し、
前記波形を生成するために基本波形を変形することが、前記各ジェット射出波形に対し、前記ジェット射出波形の前記ベースライン電圧と前記ジェット射出波形の前記プラトー電圧との間の電圧の相対大きさが、前記基本波形の前記ベースライン電圧と前記基本波形の前記プラトー電圧との間の電圧の相対大きさより、トリミング量だけ小さくなるように、前記基本波形の前記ベースライン電圧と前記基本波形の前記プラトー電圧との間の電圧の相対大きさを、前記ベースライン電圧を増大することにより、減じることを含み、
前記各ジェット射出波形に対し、前記ジェット射出波形の前記プラトー電圧を対応するインクジェットに印加することが、対応するインクジェットにインク滴を射出させることを特徴とする装置。
【請求項３５】
前記記憶装置がリードオンリーメモリを含むことを特徴とする請求項３４に記載の装置。
【請求項３６】
前記回路が、それぞれのジェット射出サイクルにおいてそれぞれのインクジェットに前記ジェット射出波形を、前記共通基本ジェット射出波形、前記トリミング量、前記トリミング値及び前記ジェット射出値に基づいて印加するよう構成されていることを特徴とする請求項３４に記載の装置。
【請求項３７】
前記カプラがジェット射出サイクルトリガ信号を伝えることを特徴とする請求項３４に記載の装置。
【請求項３８】
方法において、
それぞれのジェット射出サイクルについてインクジェットプリントヘッドモジュールのそれぞれのインクジェットに対応するジェット射出波形トリミング情報を形成する工程、
前記ジェット射出波形トリミング情報を外部の場所から前記インクジェットプリントヘッドモジュール上に配置された記憶装置に送る工程、
前記ジェット射出波形トリミング情報に基づき基本波形を変形してジェット射出波形を生成する工程、および
それぞれにおいて前記ジェット射出波形トリミング情報に基づくジェット射出波形が前記それぞれのインクジェットに印加される連続するジェット射出サイクルを起発させるため、外部の場所から前記インクジェットプリントヘッドモジュールにジェット射出サイクルトリガ信号を送る工程、
を含み、
前記基本波形がベースライン電圧およびプラトー電圧を有し、該ベースライン電圧および該プラトー電圧は相対大きさを有する電圧により互いに隔離され、前記基本波形の前記ベースライン電圧は前記基本波形の前記プラトー電圧に先行し、
前記各ジェット射出波形に対し、前記ジェット射出波形がベースライン電圧およびプラトー電圧を有し、該ベースライン電圧および該プラトー電圧は相対大きさを有する電圧により互いに隔離され、前記ジェット射出波形の前記ベースライン電圧は前記ジェット射出波形の前記プラトー電圧に先行し、
前記波形を生成するために基本波形を変形することが、前記各ジェット射出波形に対し、前記ジェット射出波形の前記ベースライン電圧と前記ジェット射出波形の前記プラトー電圧との間の電圧の相対大きさが、前記基本波形の前記ベースライン電圧と前記基本波形の前記プラトー電圧との間の電圧の相対大きさより、トリミング量だけ小さくなるように、前記基本波形の前記ベースライン電圧と前記基本波形の前記プラトー電圧との間の電圧の相対大きさを、前記ベースライン電圧を増大することにより、減じることを含み、
前記各ジェット射出波形に対し、前記ジェット射出波形の前記プラトー電圧を対応するインクジェットに印加することが、対応するインクジェットにインク滴を射出させることを特徴とする方法。
【請求項３９】
前記ジェット射出波形トリミング情報が、前記それぞれのインクジェットからジェット射出されるインク液滴に関する情報に基づいて形成されることを特徴とする請求項３８に記載の方法。
【請求項４０】
インク液滴に関する前記情報が経験的に生成されることを特徴とする請求項３９に記載の方法。
【請求項４１】
前記ジェット射出波形トリミング情報が、異なるそれぞれのトリミング量を表す公称トリミング値を含むことを特徴とする請求項３８に記載の方法。
【請求項４２】
前記ジェット射出波形トリミング情報が、ジェット射出波形をそれによってトリミングする異なるそれぞれの電圧の大きさを表すトリミング量を含むことを特徴とする請求項３８に記載の方法。
【請求項４３】
前記ジェット射出波形トリミング情報が、前記ジェット射出サイクルのそれぞれについて前記インクジェットのそれぞれに対する個別の情報を含むことを特徴とする請求項３８に記載の方法。
【請求項４４】
前記ジェット射出波形トリミング情報が前記インクジェットのそれぞれのセットに対する個別の情報を含むことを特徴とする請求項３８に記載の方法。
【請求項４５】
前記ジェット射出波形トリミング情報の少なくともいくつかが、少なくともそれぞれのプリントジョブ毎に前記インクジェットプリントヘッドモジュール上に配置された前記記憶装置に送られることを特徴とする請求項３８に記載の方法。
【請求項４６】
前記ジェット射出波形トリミング情報の少なくともいくつかが、随時に前記インクジェットプリントヘッドモジュール上に配置された前記記憶装置に送られることを特徴とする請求項３８に記載の方法。
【請求項４７】
前記ジェット射出波形トリミング情報が、公称トリミング値をトリミング電圧の大きさと関係付けるルックアップテーブルを含むことを特徴とする請求項３８に記載の方法。
【請求項４８】
方法において、
基本波形を変形してジェット射出波形を生成する工程、および
インクジェットヘッドモジュールの異なるインクジェットへの、前記インクジェット間のジェット射出の一様性を改善するための、異なるジェット射出波形の適用を可能にする工程、
を含み、
前記基本波形がベースライン電圧およびプラトー電圧を有し、該ベースライン電圧および該プラトー電圧は相対大きさを有する電圧により互いに隔離され、前記基本波形の前記ベースライン電圧は前記基本波形の前記プラトー電圧に先行し、
前記各ジェット射出波形に対し、前記ジェット射出波形がベースライン電圧およびプラトー電圧を有し、該ベースライン電圧および該プラトー電圧は相対大きさを有する電圧により互いに隔離され、前記ジェット射出波形の前記ベースライン電圧は前記ジェット射出波形の前記プラトー電圧に先行し、
前記波形を生成するために基本波形を変形することが、前記各ジェット射出波形に対し、前記ジェット射出波形の前記ベースライン電圧と前記ジェット射出波形の前記プラトー電圧との間の電圧の相対大きさが、前記基本波形の前記ベースライン電圧と前記基本波形の前記プラトー電圧との間の電圧の相対大きさより、トリミング量だけ小さくなるように、前記基本波形の前記ベースライン電圧と前記基本波形の前記プラトー電圧との間の電圧の相対大きさを、前記ベースライン電圧を増大することにより、減じることを含み、
前記各ジェット射出波形に対し、前記ジェット射出波形の前記プラトー電圧を対応するインクジェットに印加することが、対応するインクジェットにインク滴を射出させることを特徴とする方法。
【請求項４９】
前記ジェット射出波形が集積回路から生成されることを特徴とする請求項４８に記載の方法。
【請求項５０】
前記回路が、単に前記基本波形の前記ベースライン電圧と前記基本波形の前記プラトー電圧との間の電圧の前記相対大きさを減じるだけであるように構成されていることを特徴とする請求項１に記載の装置。
【請求項５１】
前記回路が、単に前記基本波形の前記ベースライン電圧と前記基本波形の前記プラトー電圧との間の電圧の前記相対大きさを減じるだけであるように構成されていることを特徴とする請求項３４に記載の装置。